(57)【要約】【課題】  バッグインボックスにおいて、軟質袋の内容物の一部解凍過程での破袋を防止するとともに、該内容物の凍結／解凍の生産性を向上すること。【解決手段】  プラスチック製の軟質袋２０を外箱３０に格納してなり、軟質袋２０の内容物を凍結搬送するとともに、解凍注出可能にするバッグインボックス１０であって、軟質袋２０が表シート２１と裏シート２２をそれらの外縁部にて貼り合せてなるもの。【選択図】  図１
2007084123.tif 000002
【特許請求の範囲】
【請求項１】
プラスチック製の軟質袋を外箱に格納してなり、軟質袋の内容物を凍結搬送するとともに、解凍注出可能にするバッグインボックスであって、
軟質袋が表シートと裏シートをそれらの外縁部にて貼り合せてなるバッグインボックス。
【請求項２】
前記軟質袋が扁平状をなし、この扁平状軟質袋を扁平状外箱に格納してなる請求項１に記載のバッグインボックス。
【請求項３】
前記軟質袋が載置される外箱の底板にすべり止め手段を設けてなる請求項１又は２に記載のバックインボックス。
【請求項４】
前記外箱の底板に複数枚の片面段ボール紙からなる底敷を設け、相隣る片面段ボール紙の波板の波目の向きを互いに交差配置し、それらの片面段ボール紙の波板をすべり止め手段とする請求項３に記載のバッグインボックス。
【発明の詳細な説明】
【技術分野】
【０００１】
本発明はバッグインボックスに関する。
【背景技術】
【０００２】
飲料、洗剤等のための複合容器として、特許文献１に記載の如く、プラスチック製の軟質袋１を外箱２に格納してなり、軟質袋１の内容物を凍結搬送するとともに、解凍注出可能にするバッグインボックスがある（図５）。
【特許文献１】実開平6-49328
【発明の開示】
【発明が解決しようとする課題】
【０００３】
従来のバッグインボックスは、軟質袋１を立方体の如くの六面体からなるものにしており、以下の問題点がある。
【０００４】
(1)六面体からなる軟質袋１は全８個の角１Ａを有し、各角１Ａは三角錐状をなす。このため、各角１Ａの内容物が凍結時に三角錐状をなし、これが搬送中の一部解凍過程で大きな三角錐状氷塊となって袋内を流動し、氷塊のエッジが搬送中やハンドリング中の振動衝撃により軟質袋１に突き当たってこれを破袋する。
【０００５】
(2)六面体からなる軟質袋１の内容物は、中心部までの凍結／解凍時間が長時間を必要とし、生産性も悪い。
【０００６】
本発明の課題は、バッグインボックスにおいて、軟質袋の内容物の一部解凍過程での破袋を防止するとともに、該内容物の凍結／解凍の生産性を向上することにある。
【課題を解決するための手段】
【０００７】
請求項１の発明は、プラスチック製の軟質袋を外箱に格納してなり、軟質袋の内容物を凍結搬送するとともに、解凍注出可能にするバッグインボックスであって、軟質袋が表シートと裏シートをそれらの外縁部にて貼り合せてなるものである。
【発明を実施するための最良の形態】
【０００８】
バッグインボックス１０は、図１〜図３に示す如く、プラスチック製の軟質袋２０を外箱３０に挿入して格納してなり、軟質袋２０の内容物を凍結搬送するとともに、搬送中に一部解凍した搬送後に解凍注出可能にする。内容物としては飲料、洗剤等がある。
【０００９】
軟質袋２０は、図３に示す如く、表シート２１と裏シート２２をそれらの外縁部にて貼り合せた扁平状をなし、表シート２１の局部に注出栓２３を備える。表シート２１と裏シート２２はそれぞれ矩形シートからなり、それらの四周外縁部をヒートシール部２４Ａ〜２４Ｄにする等により貼り合せされる。
【００１０】
但し、軟質袋２０は、図４に示す如く、表シート２１と裏シート２２を一体筒状にし、筒両側部をガセット折り込み部２５Ａ、２５Ｂにし、筒両端外縁部をヒートシール部２４Ａ、２４Ｂにする等により貼り合せても良い。
【００１１】
外箱３０は、段ボール箱であり、図２、図３に示す如く、矩形状底板３１の四周外縁部のそれぞれに背の低い側板３２を折り上げ、４枚の側板３２を四角胴をなすように貼り合せ、側板３２が囲む開口の四周上縁部にそれぞれに蓋板３３を連設して構成される扁平状をなす。軟質袋２０を挿入した外箱３０は、一方（平面視の縦横２方向のうちの一方）にて相対する蓋板３３を互いに突き合せるように折り曲げて開口を閉じる内蓋とし、他方にて相対する蓋板３３をそれら内蓋の外側にて互いに突き合せるように折り曲げて外蓋とする。
【００１２】
外箱３０は、軟質袋２０が載置される底板３１にすべり止め手段を設けてある。外箱３０の底板３１の上に２枚の片面段ボール紙４１、４２からなる底敷４０Ａ、４０Ｂを敷き設け、相隣る片面段ボール紙４１、４２の波板４１Ａ、４２Ａの波目の向きを互いに直交配置し、それらの片面段ボール紙の波板４１Ａ、４２Ａを軟質袋２０に対するすべり止め手段とするものである。片面段ボール紙４１の波板４１Ａは平面視の縦方向にてすべり止めし、片面段ボール紙４２の波板４２Ａは平面視の横方向にてすべり止めする。
【００１３】
外箱３０は、４枚の側板３２が形成する四角胴の内周に胴枠５０を添設し、耐座屈強度を補強している。胴枠５０は、相突き合される２枚のＵ字状枠材５１、５２により構成される。
【００１４】
従って、バッグインボックス１０は以下の如くに用いられる。
(1)外箱３０の底板３１の上に底敷４０Ａ、４０Ｂを敷き設ける。更に、４枚の側板３２の内周に胴枠５０を添設する。
【００１５】
(2)軟質袋２０に液状内容物を充填して栓２３を閉じる。
【００１６】
(3)上述(2)の軟質袋２０を上述(1)の外箱３０に挿入し、各蓋板３３を折り曲げて内蓋、外蓋を閉じ、封緘状態のバッグインボックス１０とする。
【００１７】
(4)上述(3)のバッグインボックス１０を凍結搬送し、搬送中に一部解凍した搬送後に、外箱３０を開封し、軟質袋２０の栓２３を開いて内容物を注出する。
【００１８】
本実施例によれば以下の作用効果を奏する。
（請求項１）
(a)バッグインボックス１０の軟質袋２０が表シート２１と裏シート２２をそれらの外縁部にて貼り合せた扁平体からなるものにした。扁平体からなる軟質袋２０は薄片状角２０Ａを有し、各角２０Ａの内容物が凍結時に薄片状をなすものの、これが搬送中の一部解凍過程では塊状になって袋内を流動することなく、小さな氷片になってじきに融解する。従って、バッグインボックス１０の搬送中やハンドリング中の振動衝撃により、小さな氷片が軟質袋２０に単に当たることはあっても、大きな氷塊のエッジが軟質袋２０に突き当たってこれを破袋する如くは生じない。
【００１９】
(b)扁平体からなる軟質袋２０の内容物は、薄肉であって中心部までの凍結／解凍時間が短くなり、生産性も向上する。同一時間内で、本発明のバッグインボックス１０では凍結内容物を完全解凍できたのに対し、従来のバッグインボックスでは中心部にキャベツサイズの未解凍塊が残った。
【００２０】
（請求項２）
(c)扁平状軟質袋２０を扁平状外箱３０に格納することにより、バッグインボックス１０の積付け性、ハンドリング性を向上できる。
【００２１】
（請求項３）
(d)外箱３０に格納した軟質袋２０の横すべりを防止するすべり止め手段を設けたから、バッグインボックス１０の搬送中やハンドリング中に軟質袋２０が横すべりすることに起因する前述(a)の氷片の袋内での流動を抑え、ひいては氷片が軟質袋２０へ突き当たることによる破袋を防止できる。
【００２２】
（請求項４）
(e)外箱３０の底板３１に複数枚の片面段ボール紙４１、４２からなる底敷４０Ａ、４０Ｂを設け、相隣る片面段ボール紙４１、４２の波板４１Ａ、４２Ａの波目の向きを互いに交差配置し、それらの片面段ボール紙４１、４２の波板４１Ａ、４２Ａをすべり止め手段とした。従って、一方の片面段ボール紙４１の波板４１Ａにより軟質袋２０の一方向への横すべりを防止し、他方の片面段ボール紙４２の波板４２Ａにより軟質袋２０の他方向への横すべりを防止し、ひいては軟質袋２０の横すべりを確実に防止できる。
【図面の簡単な説明】
【００２３】
【図１】図１はバッグインボックスを示す斜視断面図である。
【図２】図２は外箱を示す斜視図である。
【図３】図３は軟質袋とその外箱への格納状態を示す斜視図である。
【図４】図４は軟質袋の変形例を示す斜視図である。
【図５】図５は従来の軟質袋をその外箱への格納状態を示す斜視図である。
【符号の説明】
【００２４】
１０  バッグインボックス
２０  軟質袋
２１  表シート
２２  裏シート
３０  外箱
３１  底板
４１、４２  片面段ボール紙
４１Ａ、４２Ａ  波板
【図１】
2007084123.tif 000003
【図２】
2007084123.tif 000004
【図３】
2007084123.tif 000005
【図４】
2007084123.tif 000006
【図５】
2007084123.tif 000007